(57)【要約】【課題】撮影画像のアップロード時に、プリント出力される写真の仕上がりを事前に確認できるようにする。【解決手段】本実施形態に係る画像管理装置は、第１端末から画像を受信する受信部と、前記画像を記憶する記憶部と、前記画像をプリント出力する際の用紙サイズに基づいて、前記画像におけるプリント領域を計算する計算部と、前記計算部により計算された前記画像におけるプリント領域を示す仕上がり確認画面を作成し、前記第１端末へ前記仕上がり確認画面を送信する画面送信部と、前記第１端末から、前記仕上がり確認画面を介して、前記画像の販売可否の指示を受け付ける販売可否設定部と、第２端末から販売可の画像のプリント注文を受け付ける注文処理部と、を備えるものである。【選択図】図１
2020014091.tif 000002
【特許請求の範囲】
【請求項１】
第１端末から画像を受信する受信部と、
前記画像を記憶する記憶部と、
前記画像をプリント出力する際の用紙サイズに基づいて、前記画像におけるプリント領域を計算する計算部と、
前記計算部により計算された前記画像におけるプリント領域を示す仕上がり確認画面を作成し、前記第１端末へ前記仕上がり確認画面を送信する画面送信部と、
前記第１端末から、前記仕上がり確認画面を介して、前記画像の販売可否の指示を受け付ける販売可否設定部と、
第２端末から販売可の画像のプリント注文を受け付ける注文処理部と、
を備える画像管理装置。
【請求項２】
前記受信部は、前記第１端末から前記画像をプリント出力する際の用紙サイズの情報を受信することを特徴とする請求項１に記載の画像管理装置。
【請求項３】
前記画像に含まれる人物の顔を検出し、前記プリント領域よりも外側に前記顔の少なくとも一部が位置する画像である顔切れ画像を抽出する抽出部をさらに備え、
前記画面送信部は、前記顔切れ画像を表示する画面を作成して、前記第１端末へ送信することを特徴とする請求項１又は２に記載の画像管理装置。
【請求項４】
前記販売可否設定部は、前記記憶部に記憶されている画像のうち、前記第１端末から販売不可と指示された画像にフラグを立て、
前記注文処理部は、前記記憶部に記憶されている画像のうち前記フラグの立っていない画像を販売画像として前記第２端末に提示することを特徴とする請求項１乃至３のいずれか１項に記載の画像管理装置。
【請求項５】
前記販売可否設定部は、前記記憶部に記憶されている画像のうち、前記第１端末から販売不可と指示された画像を消去することを特徴とする請求項１乃至３のいずれか１項に記載の画像管理装置。
【請求項６】
第１端末から画像を受信する工程と、
前記画像を記憶部に格納する工程と、
前記画像をプリント出力する際の用紙サイズに基づいて、前記画像におけるプリント領域を計算する工程と、
前記計算部により計算された前記画像におけるプリント領域を示す仕上がり確認画面を作成し、前記第１端末へ前記仕上がり確認画面を送信する工程と、
前記第１端末から、前記仕上がり確認画面を介して、前記画像の販売可否の指示を受け付ける工程と、
第２端末から販売可の画像のプリント注文を受け付ける工程と、
を備える画像管理方法。
【発明の詳細な説明】
【技術分野】
【０００１】
本発明は、画像管理装置及び画像管理方法に関する。
【背景技術】
【０００２】
幼稚園、保育園、小学校等での子供たちの日常の様子をプロカメラマンや先生が撮影し、写真をインターネット上で閲覧・販売する、いわゆるスクールフォトサービスが提供されている。
【０００３】
例えば、先生が子供たちを撮影し、写真販売システムのサーバに撮影画像をアップロードする。保護者は、専用ウェブサイトにログインし、アップロードされた撮影画像を閲覧し、自分の子供が写っている画像を選択して購入する。購入された画像は、サービス提供業者の工場で用紙にプリントされ、保護者の元に写真が配送される。
【０００４】
先生は、撮影装置としてデジタルカメラやタブレット端末を利用することが多い。これらの撮影装置は、撮影サイズが購入時の標準設定のままであることが多く、横縦比が３：２、４：３又は１６：９などで撮影画像を生成する。一方、スナップ写真に利用される用紙として一般的なＬ版は、横縦比が約５：３．５となっている。撮影画像とプリント用紙とで横縦比が異なると、画像の上下や左右がプリントされなくなる。そのため、ウェブサイトで閲覧した画像には写っていた部分が、購入後に配送された写真では切れてしまい、購入した保護者が不満を持つことがあった。
【先行技術文献】
【特許文献】
【０００５】
【特許文献１】特開２０１４−１０２７１５号公報
【発明の概要】
【発明が解決しようとする課題】
【０００６】
本発明は、撮影画像のアップロード時に、プリント出力される写真の仕上がりを事前に確認できる画像管理装置及び画像管理方法を提供することを課題とする。
【課題を解決するための手段】
【０００７】
本発明による画像管理装置は、第１端末から画像を受信する受信部と、前記画像を記憶する記憶部と、前記画像をプリント出力する際の用紙サイズに基づいて、前記画像におけるプリント領域を計算する計算部と、前記計算部により計算された前記画像におけるプリント領域を示す仕上がり確認画面を作成し、前記第１端末へ前記仕上がり確認画面を送信する画面送信部と、前記第１端末から、前記仕上がり確認画面を介して、前記画像の販売可否の指示を受け付ける販売可否設定部と、第２端末から販売可の画像のプリント注文を受け付ける注文処理部と、を備えるものである。
【０００８】
本発明の一態様による画像管理装置において、前記受信部は、前記第１端末から前記画像をプリント出力する際の用紙サイズの情報を受信する。
【０００９】
本発明の一態様による画像管理装置において、前記画像に含まれる人物の顔を検出し、前記プリント領域よりも外側に前記顔の少なくとも一部が位置する画像である顔切れ画像を抽出する抽出部をさらに備え、前記画面送信部は、前記顔切れ画像を表示する画面を作成して、前記第１端末へ送信する。
【００１０】
本発明の一態様による画像管理装置において、前記販売可否設定部は、前記記憶部に記憶されている画像のうち、前記第１端末から販売不可と指示された画像にフラグを立て、前記注文処理部は、前記記憶部に記憶されている画像のうち前記フラグの立っていない画像を販売画像として前記第２端末に提示する。
【００１１】
本発明の一態様による画像管理装置において、前記販売可否設定部は、前記記憶部に記憶されている画像のうち、前記第１端末から販売不可と指示された画像を消去する。
【００１２】
本発明による画像管理方法は、第１端末から画像を受信する工程と、前記画像を記憶部に格納する工程と、前記画像をプリント出力する際の用紙サイズに基づいて、前記画像におけるプリント領域を計算する工程と、前記計算部により計算された前記画像におけるプリント領域を示す仕上がり確認画面を作成し、前記第１端末へ前記仕上がり確認画面を送信する工程と、前記第１端末から、前記仕上がり確認画面を介して、前記画像の販売可否の指示を受け付ける工程と、第２端末から販売可の画像のプリント注文を受け付ける工程と、を備えるものである。
【発明の効果】
【００１３】
本発明によれば、撮影画像のアップロード時に、プリント出力される写真の仕上がり具合を事前に確認できる。写真の仕上がりを確認し、販売に適さない画像を販売対象から外すことができる。
【図面の簡単な説明】
【００１４】
【図１】（ａ）は撮影風景を示す図であり、（ｂ）は写真販売システムの概略構成図である。
【図２】画像管理装置の機能ブロック図である。
【図３】アップロード画面の例を示す図である。
【図４】（ａ）〜（ｃ）はプリント領域の例を示す図である。
【図５】仕上がり確認画面の例を示す図である。
【発明を実施するための形態】
【００１５】
以下、本発明の実施の形態を図面に基づいて説明する。
【００１６】
図１（ａ）（ｂ）に示すように、本発明の実施形態に係る写真販売システムでは、幼稚園、保育園、小学校等で、先生が子供たちを撮影し、撮影した画像を画像管理装置１にアップロードする。撮影は、先生だけでなく、プロカメラマンが行ってもよい。
【００１７】
撮影には、スマートフォンやタブレット端末等の携帯端末２や、デジタルカメラ３が使用される。携帯端末２で撮影を行った場合は、携帯端末２から画像管理装置１に撮影画像をアップロードできる。デジタルカメラ３で撮影を行った場合は、デジタルカメラ３からパーソナルコンピュータ４へ撮影画像を転送し、パーソナルコンピュータ４を用いて画像管理装置１に撮影画像をアップロードする。以下、画像管理装置１に画像をアップロードする携帯端末２又はパーソナルコンピュータ４を、端末２，４と記載する。
【００１８】
画像管理装置１は、端末２，４からアップロードされた画像を販売するためのウェブサイトを提供する。幼稚園、保育園、小学校等に通う子供たちの保護者は、スマートフォンやパーソナルコンピュータ等の顧客端末６を用いてウェブサイトにアクセスし、販売画像の一覧画面を閲覧する。顧客は、一覧画面から購入したい画像を選択し、自宅住所を入力し、クレジットカード決済等で料金を支払う。
【００１９】
画像管理装置１は、選択された画像のデータを工場５へ転送する。工場５に設置されたプリンタが、転送された画像を用紙に印刷して、プリント物（写真）７を作製する。プリント物７は、顧客の自宅へ配送される。
【００２０】
携帯端末２やデジタルカメラ３は、通常、横縦比が３：２、４：３又は１６：９などで撮影画像を生成する。一方、画像をプリントする用紙として一般的なＬ版は横縦比が約５：３．５となっている。撮影画像と用紙とで横縦比が異なると、画像の上下や左右がプリントされなくなる。プリントされない部分に子供が写っている場合、ウェブサイトの一覧画面では写っていた子供が、プリント物７では全く写っていなかったり、一部切れてしまったりする。プリントされない部分に子供（被写体）が写っている画像は販売に適さず、本実施形態に係る画像管理装置１は、このような画像を予め販売対象から外せるようにするものである。
【００２１】
図２に示すように、画像管理装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像販売プログラム等が格納されている。
【００２２】
画像管理装置１のＣＰＵ（中央処理部）が画像販売プログラムを実行することで、図２に示すように、画像受信部１１、プリント領域計算部１２、画像抽出部１３、画面送信部１４、販売可否設定部１５及び注文処理部１６の機能が実現される。
【００２３】
画像受信部１１は、端末２，４から、撮影画像のデータを受信し、記憶部１０に格納する。また、画像受信部１１は、端末２，４を操作する先生によって指定されたプリントサイズ（用紙サイズ）の情報を、端末２，４から受信する。
【００２４】
例えば、端末２，４には図３に示すようなアップロード画面が表示される。端末２，４を操作し、アップロードする画像を選択し、プリントサイズを指定する。
【００２５】
プリント領域計算部１２は、プリントサイズ情報に基づいて、各撮影画像におけるプリント領域を計算する。例えば、撮影画像の中心を基準に、プリントサイズ（用紙サイズ）からプリント領域を計算する。
【００２６】
図４（ａ）は、横縦比４：３の撮影画像をＬ版用紙にプリントする場合のプリント領域Ｐ１を示している。撮影画像のうち、上下に位置する斜線部分は、用紙にプリントされない部分となる。
【００２７】
図４（ｂ）は、横縦比１：１の撮影画像をＬ版用紙にプリントする場合のプリント領域Ｐ１を示している。撮影画像のうち、上下に位置する斜線部分は、用紙にプリントされない部分となる。
【００２８】
図４（ｃ）は、横縦比１６：９の撮影画像をＬ版用紙にプリントする場合のプリント領域Ｐ１を示している。撮影画像のうち、左右に位置する斜線部分は、用紙にプリントされない部分となる。
【００２９】
撮影画像の上下や左右のどちらかがプリントされない領域となるように事前に設定できるようにしてもよい。例えば、横縦比４：３の撮影画像をＬ版用紙にプリントする場合に、撮影画像の上側がプリントされない部分となるように事前に設定する。プリント領域計算部１２は、撮影画像の上側にプリントしない部分が位置するようにプリント領域を計算する。
【００３０】
画像抽出部１３は、各撮影画像に含まれる顔を検出し、用紙にプリントされない部分（プリント領域よりも外側）に顔の少なくとも一部が含まれる（位置する）か否か判定する。画像抽出部１３は、用紙にプリントされない部分に顔の少なくとも一部が含まれる撮影画像（顔切れ画像）を抽出する。顔切れ画像は、画像を販売するウェブサイトでは写っていた顔が、プリント物７では全く写っていなかったり、一部切れてしまったりする画像である。
【００３１】
画面送信部１４は、アップロードされた撮影画像の仕上がり確認画面を作成して、端末２，４へ送信する。仕上がり確認画面では、アップロードされた撮影画像のうち、プリント領域計算部１２が計算したプリント領域部分のみを表示する。あるいはまた、プリント領域計算部１２が計算したプリント領域よりも外側部分を網掛け表示してもよい。
【００３２】
図５に示すように、仕上がり確認画面には、各撮影画像の表示領域の近傍にチェックボックスＣＢが設けられている。撮影画像をアップロードした先生は、仕上がり確認画面で撮影画像がどのようにプリント出力されるか確認し、顔が切れているなど販売に適さない画像のチェックボックスＣＢにチェックを入れる。
【００３３】
仕上がり確認画面のボタンＢ１が押されると、画面送信部１４は、画像抽出部１３により抽出された顔切れ画像のみを表示する画面を作成して、端末２，４へ送信する。これにより、顔切れ画像のみを表示する画面に切り替えることができる。
【００３４】
仕上がり確認画面のボタンＢ２が押されると、販売可否設定部１５は、端末２，４からチェックボックスＣＢにチェックが入れられた画像、すなわち販売不可とされた画像を特定する情報を受信する。販売可否設定部１５は、記憶部１０に格納されている撮影画像のうち、販売不可とされた画像に、販売不可を示すフラグを立てる。
【００３５】
販売可否設定部１５は、画像抽出部１３により抽出された顔切れ画像を、販売不可として自動で登録し、フラグを立ててもよい。
【００３６】
画面送信部１４は、記憶部１０に格納されている撮影画像のうち、販売不可を示すフラグが立っていない画像（販売可能画像）を用いて販売画像の一覧を含む注文画面を作成し、顧客端末６へ送信する。
【００３７】
注文処理部１６は、顧客端末６から画像購入注文を受け付け、注文情報を記憶部１０に格納する。注文情報は、選択した画像を識別する情報、プリント枚数、顧客氏名、配送先住所等を含む。注文処理部１６は、必要に応じて決済処理を行う。注文処理部１６は、購入された画像を工場５へ送信する。
【００３８】
このように、本実施形態によれば、撮影画像のアップロード時に、プリント出力される写真の仕上がりを事前に確認し、顔が切れている画像等を販売しないように設定できる。そのため、顔が切れている写真を顧客（保護者等）へ配送することを防止できる。
【００３９】
上記実施形態において、販売可否設定部１５は、販売不可とされた画像を記憶部１０から削除（消去）してもよい。
【００４０】
画面送信部１４は、撮影画像を用いて販売画像の一覧を含む注文画面を作成してもよいし、プリント領域計算部１２により計算されたプリント領域部分を用いて注文画面を作成してもよい。プリント領域部分を用いて注文画面を作成することで、顧客がウェブサイトで閲覧した画像と、配送されるプリント物７とがほぼ一致する。
【００４１】
上記実施形態では、端末２，４でプリントサイズを指定する例について説明したが、画像管理装置１側でプリントサイズを予め決めていてもよい。
【００４２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４３】
１  画像管理装置
２  携帯端末
３  デジタルカメラ
４  パーソナルコンピュータ
５  工場
６  顧客端末
７  プリント物
【図１】
2020014091.tif 000003
【図２】
2020014091.tif 000004
【図３】
2020014091.tif 000005
【図４】
2020014091.tif 000006
【図５】
2020014091.tif 000007